(57)【特許請求の範囲】
【請求項１】
集塵室及び電動送風機を収納する掃除機本体と、
この掃除機本体の底部内側に設けられた吸気口から前記電動送風機の排気を吸入し前記掃除機本体外部に導く排気風路と、
この排気風路の前記吸気口に隣接して設けられ前記電動送風機の排気を前記掃除機本体の底部から排出する浮上排気口と、
この浮上排気口と前記吸気口との開閉を切換える切換弁と、
前記浮上排気口を取巻くように前記掃除機本体の底部に着脱自在に装着されるスカート部とを備え、
前記スカート部は、前記スカート部の前記掃除機本体の底部への着脱に連動して前記切換弁に切換え動作をさせる切換手段を備え、
装着のときは、前記浮上排気口が開、前記吸気口が閉と切換わり、脱着のときは、前記浮上排気口が閉、前記吸気口が開と切換わることを特徴とする電気掃除機。
【請求項２】
スカート部は、平底部の周縁から立設された周側壁を有する盆形状のスカート支持体と、
このスカート支持体の周縁の床側に支持されたスカートからなり、スカート支持体は、前記平底部に立設され浮上排気口から排出された浮上排気を取入れ、床面に排出する浮上排気風路と、
前記平底部に設けられ、前記浮上排気風路から排出された浮上排気を吸入する浮上排気吸入口と、
前記周側壁に設けられ前記浮上排気吸入口から吸入された浮上排気を外部に排気する排気口と、を備え、前記スカート部を掃除機本体に装着することにより、前記掃除機本体の底部と前記スカート支持部の間に前記浮上排気吸入口から吸入した浮上排気を前記排気口に導く浮上排気風路を形成したことを特徴とする請求項１記載の電気掃除機。
【請求項３】
スカート部は、平底部の周縁から立設された周側壁及びこの周側壁端部に固着された蓋板を有する箱体状のスカート支持体と、
このスカート支持体の周縁の床側に支持されたスカートからなり、
スカート支持体は、前記平底部と前記蓋板に開口部を有し浮上排気口から排出された浮上排気を取入れ、床面に排出する浮上排気風路と、
前記平底部に設けられ、前記浮上排気風路から排出された浮上排気を吸入する浮上排気吸入口と、
前記周側壁に設けられ前記浮上排気吸入口から吸入された浮上排気を外部に排気する排気口と、
を備えたことを特徴とする請求項１記載の電気掃除機。
【請求項４】
切換手段は、スカート支持体の浮上排気風路の端部に立設され、スカート部の着脱に応じ切換弁を移動させる切換片としたことを特徴とする請求項２または請求項３記載の電気掃除機。
【請求項５】
集塵室、電動送風機及び吸込具に排気を送出するとともに塵埃を吸い込んだ吸気を取入れる吸排気パイプが連結される吸排気パイプ連結室とを収納する掃除機本体と、
この掃除機本体の底部内側に設けられた吸気口から前記電動送風機の排気を吸入し、前記吸排気パイプ連結室に設けられた排気口に導く排気風路と、
この排気風路の前記吸気口に隣接して設けられ前記電動送風機の排気を前記掃除機本体の底部から床面側に排出させる浮上排気口と、
前記吸排気パイプ連結室の底部の前記排気風路の排気口に隣接して設けられ、前記浮上排気口から排出された浮上排気を吸入する浮上排気吸入口と、
前記浮上排気口と前記吸気口との開閉を各々切換える第１の切換弁と、
前記浮上排気吸入口と前記排気口との開閉を各々切換える第２の切換弁と、
前記浮上排気口と前記浮上排気吸入口を取巻くように前記掃除機本体の底部に着脱自在に装着されるスカート部とを備え、
前記スカート部は、前記スカート部の前記掃除機本体の底部への着脱に連動して前記第１，第２の切換弁に各々切換え動作をさせる切換手段を備え、
装着のときは、前記浮上排気口と前記浮上排気吸入口が開、前記吸気口と前記排気口が閉と切換わり、脱着のときは、前記浮上排気口と前記浮上排気吸入口が閉、前記吸気口と前記排気口が開と切換わることを特徴とする排気循環タイプの電気掃除機。
【請求項６】
電動送風機に電動機を冷却する自冷ファンを備えたことを特徴とする請求項１乃至請求項５記載の排気循環タイプの電気掃除機。
【請求項７】
集塵室、電動送風機を収納する掃除機本体と、
この掃除機本体の底部内側に設けられた吸気口から前記電動送風機の排気を吸入し背面側より排気する排気風路と、
この排気風路の前記吸気口に隣接して設けられ前記電動送風機の排気を前記掃除機本体の底部から床面側に排出する浮上排気口と、
前記排気風路に連通して前記底部に設けられ、前記浮上排気口から排気された浮上排気を吸入する浮上排気吸入口と、
前記浮上排気口と前記吸気口との開閉を各々切換える第１の切換弁と、
前記浮上排気吸入口の開閉を行う第２の切換弁と、
前記浮上排気口と前記浮上排気吸入口を取巻くように前記掃除機本体の底部に着脱自在に装着されるスカート部とを備え、
前記スカート部は、前記スカート部の前記掃除機本体の底部への着脱に連動して前記第１，第２の切換弁に各々切換え動作をさせる切換手段を備え、
装着のときは、前記浮上排気口と前記浮上排気吸入口が開、前記吸気口が閉と切換わり、脱着のときは、前記浮上排気口と前記浮上排気吸入口が閉、前記吸気口が開と切換わることを特徴とする電気掃除機。
【請求項８】
スカート部は、浮上排気口及び浮上排気吸入口が位置する部分を開口した開口部を有するスカート支持体と、
このスカート支持体の周縁の床側に支持されたスカートからなり、
切換手段は、前記スカート支持体に各々立設され、前記スカート部の着脱に応じ第１、第２の切換弁を各々移動させる第１、第２の切換片としたことを特徴とする請求項５乃至請求項７記載の電気掃除機。
【発明の詳細な説明】
【０００１】
【発明の属する技術分野】
この発明は、掃除する場所や掃除機の状況に応じ、掃除機本体に浮上力を与えて使用したり、通常の掃除機としても使用できる電気掃除機に関する。
【０００２】
【従来の技術】
図１５は、例えば特開平６−１３３９００号公報に示された従来の電気掃除機を示す断面図である。図において８１は電気掃除機本体であり、集塵室８２と電動送風機９０を内蔵している。８８は集塵室８２の前方に着脱自在に装着された吸込みホース、８３は電動送風機９０近傍に形成された第１排気口、８４は第１排気口８３を覆うように掃除機本体８１の底部８９に形成された第１スカート、８５は第１スカート８４の外周に設けられた第２スカート、８６は第１スカート８４と第２スカート８５の間の底部８９に設けられた複数の第２排気口、８７は掃除機本体８１の後面に形成された排出口である。
このように構成されているので、電動送風機９０からの排気は床面に直接衝突して、その排気圧により、電気掃除機本体８１を床面から浮上させる。その後、排気は第１スカート８４と第２スカート８５の間に流入し、第２排気口８６を通過して、排出口８７より掃除機本体８１外に排出される。
【０００３】
この結果、電動送風機９０を運転することで、排気圧により掃除機本体８１が床面より浮上するので、床面と掃除機本体８１との摩擦抵抗が減少して電気掃除機本体８１の引き回し労力が少なく操作が楽になる。
【０００４】
【発明が解決しようとする課題】
しかしながら、上記のような従来の電気掃除機は、第１、第２のスカート８４、８５が汚れや磨耗などで床との隙間が生じたとき、第１排気口８３から吹き出す排気と排気により飛ばされた塵埃を第２排気口８６を経て排出口８７から排出し切れず塵埃を含んだ排気が第１、第２のスカート８４、８５から外に吹き飛ばされるという問題があった。
【０００５】
また、段差のある床を掃除するときは第１、第２のスカート８４、８５と床面との隙間が生じたり、第２排気口８６と床との間隙が部分的に大きくなり、第１排気口８３から吹き出す排気と排気により飛ばされた塵埃を第２排気口８６を経て排出口８７から排出し切れず塵埃を含んだ排気が第１、第２のスカート８４、８５から外に吹き飛ばされるという問題があった。
また、掃除機を二階等で使用する場合、排気を排出する側の階下では掃除機の排気音がやや大きいという問題があった。
そして、浮上式の掃除機を一般的な非浮上式の掃除機として使用することができないという問題があった。
【０００６】
この発明は、掃除する場所や掃除機の状況に応じ、簡単に掃除機本体に浮上力を与えて使用したり、通常の掃除機とし使用したりできる電気掃除機を得ることを目的とする。
【０００７】
【課題を解決するための手段】
この発明に係わる電気掃除機は、集塵室及び電動送風機を収納する掃除機本体と、この掃除機本体の底部内側に設けられた吸気口から前記電動送風機の排気を吸入し前記掃除機本体外部に導く排気風路と、この排気風路の前記吸気口に隣接して設けられ前記電動送風機の排気を前記掃除機本体の底部から排出する浮上排気口と、この浮上排気口と前記吸気口との開閉を切換える切換弁と、前記浮上排気口を取巻くように前記掃除機本体の底部に着脱自在に装着されるスカート部とを備え、前記スカート部は、前記スカート部の前記掃除機本体の底部への着脱に連動して前記切換弁に切換え動作をさせる切換手段を備え、
装着のときは、前記浮上排気口が開、前記吸気口が閉と切換わり、脱着のときは、前記浮上排気口が閉、前記吸気口が開と切換わるものである。
【０００８】
また、スカート部は、平底部の周縁から立設された周側壁を有する盆形状のスカート支持体と、このスカート支持体の周縁の床側に支持されたスカートからなり、スカート支持体は、前記平底部に立設され浮上排気口から排出された浮上排気を取入れ、床面に排出する浮上排気風路と、前記平底部に設けられ、前記浮上排気風路から排出された浮上排気を吸入する浮上排気吸入口と、前記周側壁に設けられ前記浮上排気吸入口から吸入された浮上排気を外部に排気する排気口と、を備え、前記スカート部を掃除機本体に装着することにより、前記掃除機本体の底部と前記スカート支持部の間に前記浮上排気吸入口から吸入した浮上排気を前記排気口に導く浮上排気風路を形成したものである。
【０００９】
また、スカート部は、平底部の周縁から立設された周側壁及びこの周側壁端部に固着された蓋板を有する箱体状のスカート支持体と、このスカート支持体の周縁の床側に支持されたスカートからなり、スカート支持体は、前記平底部と前記蓋板に開口部を有し浮上排気口から排出された浮上排気を取入れ、床面に排出する浮上排気風路と、前記平底部に設けられ、前記浮上排気風路から排出された浮上排気を吸入する浮上排気吸入口と、前記周側壁に設けられ前記浮上排気吸入口から吸入された浮上排気を外部に排気する排気口と、を備える。
【００１０】
また、切換手段は、スカート支持体の浮上排気風路の端部に立設され、スカート部の着脱に応じ切換弁を移動させる切換片としたものである。
【００１１】
また、集塵室、電動送風機及び吸込具に排気を送出するとともに塵埃を吸い込んだ吸気を取入れる吸排気パイプが連結される吸排気パイプ連結室とを収納する掃除機本体と、
この掃除機本体の底部内側に設けられた吸気口から前記電動送風機の排気を吸入し、前記吸排気パイプ連結室に設けられた排気口に導く排気風路と、この排気風路の前記吸気口に隣接して設けられ前記電動送風機の排気を前記掃除機本体の底部から床面側に排出させる浮上排気口と、前記吸排気パイプ連結室の底部の前記排気風路の排気口に隣接して設けられ、前記浮上排気口から排出された浮上排気を吸入する浮上排気吸入口と、前記浮上排気口と前記吸気口との開閉を各々切換える第１の切換弁と、前記浮上排気吸入口と前記排気口との開閉を各々切換える第２の切換弁と、前記浮上排気口と前記浮上排気吸入口を取巻くように前記掃除機本体の底部に着脱自在に装着されるスカート部とを備え、前記スカート部は、前記スカート部の前記掃除機本体の底部への着脱に連動して前記第１，第２の切換弁に各々切換え動作をさせる切換手段を備え、装着のときは、前記浮上排気口と前記浮上排気吸入口が開、前記吸気口と前記排気口が閉と切換わり、脱着のときは、前記浮上排気口と前記浮上排気吸入口が閉、前記吸気口と前記排気口が開と切換わるものである。
【００１２】
また、電動送風機に電動機を冷却する自冷ファンを備える。
【００１３】
また、集塵室、電動送風機を収納する掃除機本体と、この掃除機本体の底部内側に設けられた吸気口から前記電動送風機の排気を吸入し背面側より排気する排気風路と、この排気風路の前記吸気口に隣接して設けられ前記電動送風機の排気を前記掃除機本体の底部から床面側に排出する浮上排気口と、前記排気風路に連通して前記底部に設けられ、前記浮上排気口から排気された浮上排気を吸入する浮上排気吸入口と、前記浮上排気口と前記吸気口との開閉を各々切換える第１の切換弁と、前記浮上排気吸入口の開閉を行う第２の切換弁と、前記浮上排気口と前記浮上排気吸入口を取巻くように前記掃除機本体の底部に着脱自在に装着されるスカート部とを備え、前記スカート部は、前記スカート部の前記掃除機本体の底部への着脱に連動して前記第１，第２の切換弁に各々切換え動作をさせる切換手段を備え、装着のときは、前記浮上排気口と前記浮上排気吸入口が開、前記吸気口が閉と切換わり、脱着のときは、前記浮上排気口と前記浮上排気吸入口が閉、前記吸気口が開と切換わるものである。
【００１４】
また、スカート部は、浮上排気口及び浮上排気吸入口が位置する部分を開口した開口部を有するスカート支持体と、このスカート支持体の周縁の床側に支持されたスカートからなり、切換手段は、前記スカート支持体に立設され、前記スカート部の着脱に応じ第１、第２の切換弁を各々移動させる第１、第２の切換片としたものである。
【００１５】
【発明の実施の形態】
実施の形態１．
図１は実施の形態１に係わる電気掃除機の断面図、図２はスカート部の斜視図、図３は底面図、図４はスカート部を外した場合の電気掃除機の断面図である。図において１は掃除機本体で、前方に使い捨て集塵袋２を収納する集塵室３、後方に電動送風機４を収納する電動機室５、その後方に設けられフィルター６を有する排気室７及び底部８より構成されている。
【００１６】
１０は電動機室５の下方に設けられた吸気口１０ａから排気室７に導く排気風路、９はこの排気風路１０の吸気口に隣接して電動機室５の下方の底部８に設けられ、電動送風機４の排気を床面側に排出する浮上排気口、１１は排気室下方の底部８に設けられ浮上排気口９から吐出された排気を排気室７に吸入する浮上排気吸入口である。１２は浮上排気口９と吸気口１０ａとの開閉を各々切換える第１の切換弁であり、常時浮上排気口９を閉口するように付勢手段（図示せず）により付勢されている。１３は浮上排気吸入口を開閉する第２の切換弁であり、常時第２の吸入口を閉口するように付勢手段（図示せず）により付勢されている。２９は集塵室３の前方に着脱自在に装着された吸込みホースである。
【００１７】
１４は掃除機本体１の底部８に着脱自在に装着されるスカート部であり、図２に示すように浮上排気口９と前輪２５が位置する部分の開口部１５ａ、後輪２６が位置する部分を開口部１５ｂ及び浮上排気吸入口が位置する部分を開口部１５ｃとしたスカート支持体１５、スカート支持体１５の底部に一端が取付けられ、他端が床面に当接し、開口部１５ａ、１５ｂ、１５ｃを取巻くように設けられ、軟質材からなる環状の外側スカート体１６と外側スカート１６の内側で浮上排気吸入口１１を間に挟むように設けられた内側スカート１７から構成される。
【００１８】
１８、１９はスカート部１４を掃除機本体１の底部８に着脱自在に装着するための嵌合片であり、底部８に設けられた嵌合穴２７、２８に各々嵌合される。２０は第１の切換弁１２を移動させ切換える切換手段である第１の切換片、２１は切換弁１３を移動させ切換える切換手段である第２の切換片である。なお、内側スカート１７は外側スカート１６より短くしてある。なお、図３の一点鎖線はスカート部１４の開口部１５ａ、１５ｂ、１５ｃと  第１の切換片２０、第２の切換片２１を示す。
【００１９】
次に、掃除機本体１を浮上させて通常に使用する場合の動作について図１〜３により説明する。
まず、スカート部１４の嵌合片１８、１９を掃除機本体１の底部８の嵌合穴２７、２８に各々嵌合する。すると、第１の切換片２０は第１の切換弁１２を移動させ吸気口１０ａを閉口させ、浮上排気口９が開口する。第２の切換片２１は切換弁１３を移動さ浮上排気吸入口を開口する。
【００２０】
次に、掃除機の電源を入れ、高速回転する電動送風機４の回転に伴ない矢印に示すように、空気の移動が始り、集塵室３からの空気は電動送風機４を通過して高圧排気となり浮上排気口９より床面に向けて排出され、内側スカート１７に排気が当たり、内側のスカート１７と底部８及び床面に囲まれた空間に圧力が生じ、掃除機本体１を持ち上げ、排気が内側スカート１７と床面との間から流出する。このとき、外側スカート１６は内側スカート１７より長いので、内側スカート１７から流出した排気は、外部に排気されず、内側、外側スカート１７、１６の間に入り込み、浮上排気吸気口１１から排気室７に入り込み外部に排気される。
【００２１】
次に、スカート部１４が磨耗したり汚れたり、または、二階の掃除などで階下への騒音を避ける場合に掃除機本体１を浮上させないで使用する場合の動作について図１〜４により説明する。
まず、スカート部１４の嵌合片を１８、１９を掃除機本体１の底部８の嵌合穴２７、２８から外す。すると、図４に示すように第１の切換片２０は第１の切換弁１２を移動させ、吸気口１０ａを開口させ、浮上排気口９が閉口する。第２の切換片２１は切換弁１３を移動さ浮上排気吸入口を閉口する。
【００２２】
次に、掃除機の電源を入れると、集塵室３からの空気は電動送風機４を通過して高圧排気となり吸気口１０ａより入り込み排気風路１０を経て排気室７に入り込み外部に排気される。
【００２３】
以上のように、通常は排気を利用して移動をし易くして使用でき、スカート部１４が汚れや磨耗で排気もれが生じたり、段差等のある床を掃除するときは、スカート部１４を簡単に取外して塵埃が飛ばないようにして使用できる。また、掃除する床下側に部屋があるときなどは、スカート部１４を外して使用し、騒音を防ぐことができる。
【００２４】
実施の形態２．
本実施の形態は排気循環タイプで浮上式の電気掃除機において、スカート部を着脱自在にしたものである。図５は実施の形態２に係わる電気掃除機の断面図、図６はスカート部の斜視図、図７は底面図、図８はスカート部を外した場合の電気掃除機の断面図である。
図において実施の形態１で示した図１と同一または相当部分には、同じ符号を付し、説明を省略する。３１は掃除機本体で、前方に使い捨て集塵袋２を収納する集塵室３、後方に電動送風機４を収納する電動機室５、電動機室５の上方の制御室３２、後述の吸排気パイプ３６が装着される吸排気パイプ装着室３２より構成されている。
【００２５】
３０は集塵室３の下方に設けられ、浮上排気口９に隣接して設けられた吸気口３０ａから電動送風機４の排気を吸入し、吸排気パイプ連結室３２に設けられた排気口３０ｂに導く排気風路、３３は吸排気パイプ連結室３２の底部の排気風路３０の排気口３０ｂに隣接して設けられ、浮上排気口９から排出された浮上排気を吸入する浮上排気吸入口、３４は浮上排気口９と吸気口３０ａとの開閉を各々切換える第１の切換弁であり、３５は浮上排気吸入口３３と排気口３０ｂとの開閉を各々切換える第２の切換弁である。第１、第２の切換弁３４、３５は常時浮上排気口９と浮上排気吸入口３３を各々閉口するように付勢手段（図示せず）により付勢されている。
【００２６】
３６は吸排気パイプ装着室３２の前方に着脱自在に装着された吸排気パイプであり、この先に吸排ホース及び吸込具（図示せず）が接続される。３７は浮上排気吸入口３３からの浮上排気を吸込具に導く排気風路、３８は吸込具から塵埃を吸い込む吸気風路であり、排気風路３７は吸気風路３８を取囲むように設けられている。
【００２７】
４１は掃除機本体３１の底部８に着脱自在に装着されるスカート部であり、図６、７に示すように浮上排気吸入口３３が位置する部分が開口した開口４１ａ、浮上排気口９と前輪２５が位置する部分が開口した開口部４１ｂ、後輪２６が位置する部分を開口した開口部４１ｃを有するスカート支持体４２、スカート支持体４２の底部に一端が取付けられ、他端が床面に当接し、開口部４１ａ、４１ｂ、４１ｃを取巻くように設けられ、軟質材からなる環状の外側スカート体１６と外側スカート１６の内側で浮上排気吸入口３３を間に挟むように設けられた内側スカート１７から構成される。
【００２８】
４３、４４はスカート部４１を掃除機本体３１の底部８に着脱自在に装着するための嵌合片であり、図７に示す底部８の嵌合穴４５、４６に各々嵌合される。４７は第１の切換弁３４を移動させ切換える切換手段である第１の切換片、４８は第２の切換弁３５を移動させ切換える切換手段である第２の切換片である。
なお、図７の一点鎖線はスカート支持体４２の開口部４１ａ、４１ｂ、４１ｃ及び第１、第２の切換片４７、４８を示す。
【００２９】
次に、掃除機本体１を浮上させて通常に使用する場合の動作について図５〜７により説明する。
まず、スカート部４１の嵌合片４３、４４を掃除機本体３１の底部８の嵌合穴４５、４６に各々嵌合する。すると、第１の切換片４７は第１の切換弁３４を移動させ吸気口３０ａを閉口させ、浮上排気口９が開口する。第２の切換片４８は第２の切換弁３５移動さ浮上排気吸入口３３を開口する。
【００３０】
次に、掃除機の電源を入れると集塵室３からの空気は電動送風機４を通過して高圧排気となり浮上排気口９より床面に向けて排出され、内側スカート１７に排気が当たり、内側のスカート１７と底部８及び床面に囲まれた空間に圧力が生じ、掃除機本体１を持ち上げ、排気が内側スカート１７と床面の間から流出する。このとき、外側スカート１６は内側スカート１７より長いので、内側スカート１７から流出した排気は、外部に排気されず、内側、外側スカート１７、１６の間に入り込み、浮上排気吸気口３３から吸排気パイプ装着室３２に入り込む。
【００３１】
吸排気パイプ装着室３２に入り込んだ排気は、吸排気パイプ３６の排気風路３７に導かれ、吸込具に達し、吸込具の排気口から床面に吐出し床の塵埃を舞上げる。そして、吸込具の吸気口から塵埃とともに排気を吸い込み吸気風路３８を移動して集塵室３内に入り集塵袋２に塵挨のみ捕獲され、清浄空気のみ電動送風機４に吸引され、電動送風機４を通過して高圧排気となり浮上排気口９より床面に向けて排出される。
【００３２】
次に、スカート部１４が磨耗したり汚れたり、または、二階の掃除などで階下への騒音を避ける場合に掃除機本体１を浮上させないで使用する場合の動作について図５〜８により説明する。
まず、スカート部４１の嵌合片を４３、４４を掃除機本体３１の底部８の嵌合穴４５、４６から外す。すると、図８に示すように第１の切換片４７は第１の切換弁３４を移動させ第１の吸入口３０ａを開口させ、浮上排気口９が閉口する。第２の切換片４８は切換弁３５を移動さ第２の吸入口３０ａを開口させ、浮上排気吸入口３３が閉口する。
【００３３】
次に、掃除機の電源を入れると、集塵室３からの空気は電動送風機４を通過して高圧排気となり第１の吸入口３０ａより入り込み排気風路３０を経て吸排気パイプ装着室３２に入り込む。吸排気パイプ装着室３２に入り込んだ排気は、吸排気パイプ３６の排気風路３７に導かれ、吸込具に達し、吸込具の排気口から床面に吐出し床の塵埃を舞上げる。そして、吸込具の吸気口から塵埃とともに排気を吸い込み吸気風路３８を移動して集塵室３内に入り集塵袋２に塵挨のみ捕獲され、清浄空気のみ電動送風機４に吸引され、電動送風機４を通過して高圧排気となり浮上排気口９より床面に向けて排出される。
【００３４】
以上のように、排気循環タイプの掃除機において、通常は排気を利用して移動をし易くでき、また、スカート部４１が汚れや磨耗で排気もれが生じたり、段差等のある床を掃除するときは、スカート部４１を外して塵埃が飛ばないようにして使用できる。さらに、掃除する床下側に部屋があるときなどは、スカート部４１を外して使用し、騒音を防ぐことができる。
また、排気を吸込具に循環させて床面に吐出し床の塵埃を舞上げ、塵埃が床から取れやすくでき、また、吸排気パイプ３６において排気風路３７は吸気風路３８を取囲むように設けられているので、排気が吸込具に移動中に吸気風路３８の吸気により冷却され、排気循環による排気の温度上昇を防ぐことができる。
さらに、排気循環による電動機４からの高温排気はスカート部４１内や吸込具内の床面で排気が冷却され、また、吸気風路３８により冷却され、温度上昇が防止できる。
【００３５】
実施の形態３．
実施の形態２の循環式では排気の循環を繰り返すと電動送風機の消費電力により循環空気の温度が上昇し、スカート部内の床面、例えば、じゅうたん等が高温になる恐れがあり、吸排気パイプ等も温度が上昇するので、電動機に吸塵用ファン（循環用）と、電動機を冷却する自冷ファンを設けたものである。         図９は実施の形態３に係わる電気掃除機の断面図である。図において実施の形態１で示した図１及び実施の形態２で示した図５と同一または相当部分には、同じ符号を付し、説明を省略する。
【００３６】
５１は掃除機本体で、前方に集塵袋２を収納する集塵室３、後方に吸塵用ファン５２と自冷用ファン５３を各々有する電動機５４、吸塵用ファン５２を収容する吸塵ファン室５、自冷用ファン５３と電動機５４を収納する電動機室５６、電動機室５６上方の制御室３２、電動機室５６後方に設けられフィルター６を有する排気室７及び底部８、吸排気パイプ３６が装着される吸排気パイプ装着室３２より構成されている。
底部８、スカート部１４は実施の形態２の図６、７と各々同じである。
【００３７】
次に、掃除機本体１を浮上して使用する場合の動作について説明する。
まず、スカート部１４を実施の形態２と同様にして、掃除機本体３１の底部８に装着し、吸気口３０ａと排気口３０ｂを閉口させ、浮上排気口９と浮上排気吸入口３３を開口する。
【００３８】
次に、掃除機の電源を入れると、集塵室３からの空気は吸塵ファン５２に吸気され  高圧排気となり吸塵ファン５２の排気口５２ａを経て浮上排気口９より床面に向けて排出される。この浮上排気により掃除機本体５１を持ち上げ、浮上排気が内側スカート１７と床面の間から流出する。そして、内側スカート１７から流出した排気は、浮上吸気口３３から吸排気パイプ装着室３２に入り込む。
【００３９】
一方、排気口５２ａから排気された排気の一部は制御室３２を経て電動機室５６に流入する。この電動機室５６に流入した排気と吸塵ファン５２に吸気され、高圧排気となった排気の一部は自冷ファン５３により吸気され電動機５４を冷却して排気室７に排気され、フィルター６を通過して外部に排気される。
【００４０】
吸排気パイプ装着室３２に入り込んだ排気の動作は、実施の形態２と同じである。
【００４１】
次に、掃除機本体１を浮上させないで使用する場合は、実施の形態２と同じようにしてスカート部１４を取り外し、吸気口３０ａと排気口３０ｂを開口させ、浮上排気口９と浮上排気吸入口３３を閉口する。
【００４２】
次に、掃除機に電源を入れると、集塵室３からの空気は吸塵ファン５２に吸気され  高圧排気となり吸塵ファン５２の排気口５２ａから吸塵ファン室５５に排出される。この排気は排気風路３０の吸入口３０ａから入り込み排気風路３０を経て排気口３０ｂから吸排気パイプ装着室３２に入り込む。吸排気パイプ装着室３２に入り込んだ排気の動作は、実施の形態２と同じである。
【００４３】
一方、排気口５２ａから排気された排気の一部は制御室３２を経て電動機室５６に流入する。この電動機室に流入した排気と吸塵ファン５２に吸気され、高圧排気となった排気の一部は自冷ファン５３により吸気され電動機５４を冷却して排気室７に排気され、フィルター６を通過して外部に排気される。
【００４４】
以上のように、排気循環タイプの掃除機において、排気の温度の上昇を防ぐことができ床面に対する影響もなく、通常は排気を利用して移動をし易く、また、吸塵が床から取れやすくできる。また、スカート部１４が汚れや磨耗で排気もれが生じたり、段差等のある床を掃除するときは、スカート部１４を外して塵埃が飛ばないようにして使用できる。さらに、掃除する床下側に部屋があるときなどは、スカート部１４を外して使用し、騒音を防ぐことができる。
【００４５】
なお、本実施の形態では吸塵ファン５２からの排気の一部で制御室３２を冷却した場合を示したが、この排気の一部はコードリール（図示せず）を空冷してもよよい。
また、吸塵用ファン５２による排気は全て循環させ、掃除機本体５１の浮上に使用されるようにしてもよい。
【００４６】
実施の形態４．
本実施の形態は、浮上排気の排気を掃除機本体外で行うようにしたスカート部を備えたものである。
図１０は実施の形態４に係わる電気掃除機の断面図、図１１はスカート部の斜視図、図１２はスカート部を外した場合の電気掃除機の断面図である。
図において実施の形態１で示した図１と同一または相当部分には、同じ符号を付し、説明を省略する。６１は掃除機本体で、前方に使い捨て集塵袋２を収納する集塵室３、後方に電動送風機４を収納する電動機室５、その後方に設けられフィルター６を有する排気室７、底部８及び後述のスカート部６２を装着する係合部７２、７３より構成されている。
【００４７】
６２は掃除機本体１の底部８に着脱自在に装着されるスカート部であり、図１１に示すよう、平底部６３ａの周縁から立設され、端部が掃除機本体６１の底部８に当接する周側壁６３ｂを有する盆形状のスカート支持体６３とこのスカート支持体６３の周縁の床側に支持されたスカート１６、１７から構成される。
７６は浮上排気口９と吸気口１０ａとの開閉を各々切換える切換弁であり、常時浮上排気口９を閉口するように付勢手段（図示せず）により付勢されている。
【００４８】
スカート支持体６３において、６６は平底部６３ａから筒状に立設され、掃除機本体６１の浮上排気口９の周囲の底部８に当接し、浮上排気口９から排出された浮上排気を取入れ、床面に排出する浮上排気風路６６ａを形成する浮上排気シール壁、６７は浮上排気シール壁６６の端部に立設され、スカート部６２の掃除機本体６１への着脱に応じ切換弁７６を移動させる切換手段である切換片、６５は平底部６３ａから筒状に立設され、掃除機本体６１の底部８に当接して掃除機本体６１の前輪２５をシールする前輪シール室６５ａを形成する前輪シール壁、６４はスカート１６と１７の間の平底部６３ａに設けられ、浮上排気風路６６ａから排気された浮上排気を吸入する浮上排気吸入口、６９は周側壁６３ｂに設けられ浮上排気吸入口６５ａから吸入された浮上排気を外部に排気する排気口、７０、７１は掃除機本体６１に設けられた係合部７２、７３に各々係合する係合片である。なお、後輪はスカート部６２の外側に配置されるが、スカート部６２の内側に配置する場合は、後輪シール室を設ける。
【００４９】
次に、掃除機本体６１を浮上させて通常に使用する場合の動作について図１０、１１により説明する。
まず、スカート部６２の係合片７０、７１を掃除機本体６１に設けられた係合部７２、７３に各々係合させる。すると、切換片６７は切換弁７６を移動させ吸気口１０ａを閉口させ、浮上排気口９が開口する。
このようにスカート部６２を掃除機本体６１に装着すると、掃除機本体６１の底部８とスカート支持部６３の間に浮上排気吸入口６４から吸入した浮上排気を排気口６９に導く排気風路７８が形成される。
【００５０】
次に、掃除機の電源を入れ、電動送風機４の回転に伴ない矢印に示すように、空気の移動が始り、集塵室３からの空気は電動送風機４を通過して高圧排気となり、浮上排気口９と浮上排気風路６６ａを経て床面に向けて排出され、内側スカート１７に排気が当たり、内側のスカート１７と底部８及び床面に囲まれた空間に圧力が生じ、掃除機本体１を持ち上げ、排気が内側スカート１７と床面との間から流出する。このとき、外側スカート１６は内側スカート１７より長いので、内側スカート１７から流出した排気は、外部に排気されず、内側、外側スカート１７、１６の間に入り込み、浮上排気吸入口６４及び排気風路７８を経て排気口６９から外部に排気される。
【００５１】
次に、スカート部６２が磨耗したり汚れたり、または、二階の掃除などで階下への騒音を避ける場合に掃除機本体１を浮上させないで使用する場合の動作について図１２により説明する。
まず、スカート部６２の係合片７０、７１を掃除機本体６１に設けられた係合部７２、７３から取外す。すると、図１２に示すように切換片６７は切換弁７６を移動させ吸気口１０ａを開口させ、浮上排気口９が閉口する。
【００５２】
次に、掃除機の電源を入れると、集塵室３からの空気は電動送風機４を通過して高圧排気となり吸気口１０ａより入り込み排気風路１０を経て排気室７に入り込み外部に排気される。
【００５３】
以上のように、通常は排気を利用して移動をし易くして使用でき、スカート部６２が汚れや磨耗で排気もれが生じたり、段差等のある床を掃除するときは、スカート部６２を簡単に取外して塵埃が飛ばないようにして使用できる。また、掃除する床下側に部屋があるときなどは、スカート部６２を外して使用し、騒音を防ぐことができる。
また、浮上排気の排気を掃除機本体６１外で行うようにしたので、浮上排気吸入口を開閉する切換弁を不要とすることができる。
また、浮上排気が浮上排気吸入口６４及び排気風路７８を経て排気口６９から外部に排気されるときに、浮上排気吸入口６４から入り込んだ浮上排気が掃除機本体６１の底部８に突き当たるので、掃除機本体６１を浮上させる力が働き、浮上排気口９から排出されたときに浮上させる力と合い重なり浮上する力を増加させることができる。
【００５４】
実施の形態５．
本実施の形態は、スカート部内に浮上排気の排気風路を設けたものである。
図１３は実施の形態４に係わる電気掃除機の断面図、図１４はスカート部の斜視図である。
図において実施の形態１、４で示した図１、１０と同一または相当部分には、同じ符号を付し、説明を省略する。７４は掃除機本体６１の底部８に着脱自在に装着されるスカート部であり、図１４に示すよう、平底部６３ａの周縁から立設された周側壁６３ｂとこの周側壁６３ｂに固着された蓋板７５を有する箱体状のスカート支持体７７、とこのスカート支持体７７の周縁の床側に支持されたスカート１６、１７から構成される。
【００５５】
スカート支持体７７の蓋板７５は浮上排気シール壁６６が挿入され固着される開口部７５ａと前輪シール壁６５が挿入され固着される開口部（図示せず）が設けられている。７８は浮上排気吸入口６４から吸入した浮上排気を排気口６９に導く排気風路である。
【００５６】
この構成における動作は、スカート部７４を掃除機本体６１に装着しなくとも浮上排気吸入口６４から吸入した浮上排気を排気口６９に導く排気風路７８が形成される点を除いては実施の形態４と同じであり説明を省略する。
【００５７】
以上のように、通常は排気を利用して移動をし易くして使用でき、スカート部６２が汚れや磨耗で排気もれが生じたり、段差等のある床を掃除するときは、スカート部６２を簡単に取外して塵埃が飛ばないようにして使用できる。また、掃除する床下側に部屋があるときなどは、スカート部６２を外して使用し、騒音を防ぐことができる。
また、浮上排気の排気を掃除機本体６１外で行うようにしたので、浮上排気吸入口を開閉する切換弁を不要とすることができる。
また、浮上排気が浮上排気吸入口６４及び排気風路７８を経て排気口６９から外部に排気されるときに、浮上排気吸入口６４から入り込んだ浮上排気が掃除機本体６１の底部８に突き当たるので、掃除機本体６１を浮上させる力が働き、浮上排気口９から排出されたときに浮上させる力と合い重なり浮上する力を増加させることができる。
【００５８】
【発明の効果】
以上のように、この発明によれば、集塵室及び電動送風機を収納する掃除機本体と、この掃除機本体の底部内側に設けられた吸気口から前記電動送風機の排気を吸入し前記掃除機本体外部に導く排気風路と、この排気風路の前記吸気口に隣接して設けられ前記電動送風機の排気を前記掃除機本体の底部から排出する浮上排気口と、この浮上排気口と前記吸気口との開閉を切換える切換弁と、前記浮上排気口を取巻くように前記掃除機本体の底部に着脱自在に装着されるスカート部とを備え、前記スカート部は、前記スカート部の前記掃除機本体の底部への着脱に連動して前記切換弁に切換え動作をさせる切換手段を備え、
装着のときは、前記浮上排気口が開、前記吸気口が閉と切換わり、脱着のときは、前記浮上排気口が閉、前記吸気口が開と切換わるので、掃除する場所や掃除機の状況に応じ、掃除機本体に浮上力を与えて使用したり、通常の掃除機とし使用したりすることができる。
【００５９】
また、スカート部は、平底部の周縁から立設された周側壁を有する盆形状のスカート支持体と、このスカート支持体の周縁の床側に支持されたスカートからなり、スカート支持体は、前記平底部に立設され浮上排気口から排出された浮上排気を取入れ、床面に排出する浮上排気風路と、前記平底部に設けられ、前記浮上排気風路から排出された浮上排気を吸入する浮上排気吸入口と、前記周側壁に設けられ前記浮上排気吸入口から吸入された浮上排気を外部に排気する排気口と、を備え、前記スカート部を掃除機本体に装着することにより、前記掃除機本体の底部と前記スカート支持部の間に前記浮上排気吸入口から吸入した浮上排気を前記排気口に導く浮上排気風路を形成したので、掃除する場所や掃除機の状況に応じ、簡単な操作で掃除機本体に浮上力を与えて使用したり、通常の掃除機とし使用したりすることができる。
また、浮上排気の排気を掃除機本体外で行うようにしたので、掃除機本体に浮上排気吸入口を開閉する切換弁を設けなくともよい。
また、浮上排気吸入口から入り込んだ浮上排気が掃除機本体の底部に突き当たるので、掃除機本体を浮上させる力が働き、浮上排気口から排出されたときに浮上させる力と合い重なり浮上する力を増加させることができる。
【００６０】
また、スカート部は、平底部の周縁から立設された周側壁及びこの周側壁端部に固着された蓋板を有する箱体状のスカート支持体と、このスカート支持体の周縁の床側に支持されたスカートからなり、スカート支持体は、前記平底部と前記蓋板に開口部を有し浮上排気口から排出された浮上排気を取入れ、床面に排出する浮上排気風路と、前記平底部に設けられ、前記浮上排気風路から排出された浮上排気を吸入する浮上排気吸入口と、前記周側壁に設けられ前記浮上排気吸入口から吸入された浮上排気を外部に排気する排気口と、を備えたので、掃除する場所や掃除機の状況に応じ、簡単な操作で掃除機本体に浮上力を与えて使用したり、通常の掃除機とし使用したりすることができる。
また、浮上排気の排気を掃除機本体外で行うようにしたので、掃除機本体に浮上排気吸入口を開閉する切換弁を設けなくともよい。
また、浮上排気吸入口から入り込んだ浮上排気が掃除機本体の底部に突き当たるので、掃除機本体を浮上させる力が働き、浮上排気口から排出されたときに浮上させる力と合い重なり浮上する力を増加させることができる。
【００６１】
また、切換手段は、スカート支持体の浮上排気風路の端部に立設され、スカート部の着脱に応じ切換弁を移動させる切換片としたので、簡単な操作で掃除機本体に浮上力を与えて使用したり、通常の掃除機とし使用したりすることができる。
【００６２】
また、集塵室、電動送風機及び吸込具に排気を送出するとともに塵埃を吸い込んだ吸気を取入れる吸排気パイプが連結される吸排気パイプ連結室とを収納する掃除機本体と、
この掃除機本体の底部内側に設けられた吸気口から前記電動送風機の排気を吸入し、前記吸排気パイプ連結室に設けられた排気口に導く排気風路と、この排気風路の前記吸気口に隣接して設けられ前記電動送風機の排気を前記掃除機本体の底部から床面側に排出させる浮上排気口と、前記吸排気パイプ連結室の底部の前記排気風路の排気口に隣接して設けられ、前記浮上排気口から排出された浮上排気を吸入する浮上排気吸入口と、前記浮上排気口と前記吸気口との開閉を各々切換える第１の切換弁と、前記浮上排気吸入口と前記排気口との開閉を各々切換える第２の切換弁と、前記浮上排気口と前記浮上排気吸入口を取巻くように前記掃除機本体の底部に着脱自在に装着されるスカート部とを備え、前記スカート部は、前記スカート部の前記掃除機本体の底部への着脱に連動して前記第１，第２の切換弁に各々切換え動作をさせる切換手段を備え、装着のときは、前記浮上排気口と前記浮上排気吸入口が開、前記吸気口と前記排気口が閉と切換わり、脱着のときは、前記浮上排気口と前記浮上排気吸入口が閉、前記吸気口と前記排気口が開と切換わるので、掃除する場所や掃除機の状況に応じ、簡単な操作で掃除機本体に浮上力を与えて使用したり、通常の掃除機とし使用したりすることができる。
【００６３】
また、電動送風機に電動機を冷却する自冷ファンを備えたので、排気循環による温度上昇を防ぐことができる。
【００６４】
また、集塵室、電動送風機を収納する掃除機本体と、この掃除機本体の底部内側に設けられた吸気口から前記電動送風機の排気を吸入し背面側より排気する排気風路と、この排気風路の前記吸気口に隣接して設けられ前記電動送風機の排気を前記掃除機本体の底部から床面側に排出する浮上排気口と、前記排気風路に連通して前記底部に設けられ、前記浮上排気口から排気された浮上排気を吸入する浮上排気吸入口と、前記浮上排気口と前記吸気口との開閉を各々切換える第１の切換弁と、前記浮上排気吸入口の開閉を行う第２の切換弁と、前記浮上排気口と前記浮上排気吸入口を取巻くように前記掃除機本体の底部に着脱自在に装着されるスカート部とを備え、前記スカート部は、前記スカート部の前記掃除機本体の底部への着脱に連動して前記第１，第２の切換弁に各々切換え動作をさせる切換手段を備え、装着のときは、前記浮上排気口と前記浮上排気吸入口が開、前記吸気口が閉と切換わり、脱着のときは、前記浮上排気口と前記浮上排気吸入口が閉、前記吸気口が開と切換わるので、掃除する場所や掃除機の状況に応じ、簡単な構成で掃除機本体に浮上力を与えて使用したり、通常の掃除機とし使用したりすることができる。
【００６５】
また、スカート部は、浮上排気口及び浮上排気吸入口が位置する部分を開口した開口部を有するスカート支持体と、このスカート支持体の周縁の床側に支持されたスカートからなり、切換手段は、前記スカート支持体に立設され、前記スカート部の着脱に応じ第１、第２の切換弁を各々移動させる第１、第２の切換片としたので、掃除する場所や掃除機の状況に応じ、簡単な操作で掃除機本体に浮上力を与えて使用したり、通常の掃除機とし使用したりすることができる。
【図面の簡単な説明】
【図１】  この発明の実施の形態１に係る電気掃除機の断面図である。
【図２】  この発明の実施の形態１に係る電気掃除機のスカート部の斜視図である。
【図３】  この発明の実施の形態１に係る電気掃除機の底面図である。
【図４】  この発明の実施の形態１に係る電気掃除機のスカート部を外したときの断面図である。
【図５】  この発明の実施の形態２に係る電気掃除機の断面図である。
【図６】  この発明の実施の形態２に係る電気掃除機のスカート部の斜視図である。
【図７】  この発明の実施の形態２に係る電気掃除機の底面図である。
【図８】  この発明の実施の形態２に係る電気掃除機のスカート部を外したときの断面図である。
【図９】  この発明の実施の形態３に係る電気掃除機の断面図である。
【図１０】  この発明の実施の形態４に係る電気掃除機の断面図である。
【図１１】  この発明の実施の形態４に係る電気掃除機のスカート部の斜視図である。
【図１２】  この発明の実施の形態４に係る電気掃除機のスカート部を外したときの断面図である。
【図１３】  この発明の実施の形態５に係る電気掃除機の断面図である。
【図１４】  この発明の実施の形態５に係る電気掃除機のスカート部の斜視図である。
【図１５】  従来の電気掃除機の断面図である。
【符号の説明】
１、３１、５１、６１  掃除機本体、３  集塵室、４  電動送風機、７  排気室、９  浮上排気口、８  底部、１０、３０、７８  排気風路  １０ａ、３０ａ吸気口、１１、３３  浮上排気吸入口、１２  第１の切換弁、１３  第２の切換弁、１４、４１、６２、７４  スカート部、１５、４２、６３、７７  スカート支持体、２０  第１の切換片、２１  第２の切換片、６３ａ  平底部、６３ｂ  周側壁、６４  浮上排気吸入口、６６ａ  浮上排気風路、６７  切換片  、６９  排気口７５蓋板、７６  切換弁。
【図１】
0003849747.tif 000002
【図２】
0003849747.tif 000003
【図３】
0003849747.tif 000004
【図４】
0003849747.tif 000005
【図５】
0003849747.tif 000006
【図６】
0003849747.tif 000007
【図７】
0003849747.tif 000008
【図８】
0003849747.tif 000009
【図９】
0003849747.tif 000010
【図１０】
0003849747.tif 000011
【図１１】
0003849747.tif 000012
【図１２】
0003849747.tif 000013
【図１３】
0003849747.tif 000014
【図１４】
0003849747.tif 000015
【図１５】
0003849747.tif 000016